(57)【要約】【課題】非磁性体のフィルタを安定して湯口部材に取り付けることができるフィルタ取付装置及びフィルタ取付方法を提供する。【解決手段】筒状を呈する湯口部材１０３の所定位置に非磁性のフィルタ１０４を取り付けるフィルタ取付装置２００であって、下端に第１磁性体２０１ａを有するロッド２０１と、第１磁性体２０１ａとの間で吸引力を及ぼし合う第２磁性体２０８を有し、フィルタ１０４の挟持時、フィルタ１０４の下方に配置されると共に、吸引力によって第１磁性体２０１ａとでフィルタ１０４を挟む挟持アダプタ２０８と、挟持アダプタ２０８の離脱時、ロッド２０１を上方に移動させた場合に、フィルタ１０４を上方から前記所定位置に押さえ付けるフィルタ押さえ部２０２ｂと、を備える。【選択図】図３
2013169553.tif 000002
【特許請求の範囲】
【請求項１】
筒状を呈する湯口部材の所定位置に非磁性のフィルタを取り付けるフィルタ取付装置であって、
下端に第１磁性体を有するロッドと、
前記第１磁性体との間で吸引力を及ぼし合う第２磁性体を有し、前記フィルタの挟持時、前記フィルタの下方に配置されると共に、吸引力によって前記第１磁性体とで前記フィルタを挟む挟持アダプタと、
前記挟持アダプタの離脱時、前記ロッドを上方に移動させた場合に、前記フィルタを上方から前記所定位置に押さえ付けるフィルタ押さえ部と、を備える
ことを特徴とするフィルタ取付装置。
【請求項２】
前記挟持アダプタは、前記フィルタの下面に当接する薄板状の円盤部と、前記円盤部の中心から下向きに突出する錘部と、を備える
ことを特徴とする請求項１に記載のフィルタ取付装置。
【請求項３】
筒状を呈する湯口部材の所定位置に非磁性のフィルタを取り付けるフィルタ取付方法であって、
下端に第１磁性体を有するロッドと、
前記第１磁性体との間で吸引力を及ぼし合う第２磁性体を有する挟持アダプタと、
前記フィルタを上方から押さえ付けるフィルタ押さえ部と、
を備えたフィルタ取付装置を用いて、
前記挟持アダプタを前記フィルタの下方に配置すると共に、前記第１磁性体と前記第２磁性体との間の吸引力によって前記フィルタを挟む第１手順と、
前記フィルタ押さえ部で前記フィルタを上方から前記所定位置に押さえ付けると共に、前記ロッドを上方に移動させることによって前記挟持アダプタを離脱させる第２手順と、を含む
ことを特徴とするフィルタ取付方法。
【発明の詳細な説明】
【技術分野】
【０００１】
本発明は、湯口部材にフィルタを取り付けるフィルタ取付装置及びフィルタ取付方法に関する。
【背景技術】
【０００２】
溶湯に含まれる酸化物（スラグ）などがキャビティに流入することを防止するため、湯口部材にフィルタを取り付ける技術が知られている。
例えば、特許文献１には、鉄系材料（磁性体）で作られた円錐台形状のフィルタを複数備え、それぞれのフィルタをマグネット（磁石）で吸着して、低圧鋳造装置のテーパ状拡径路（湯口部材）に挿入する技術について記載されている。なお、フィルタの外周面とテーパ状拡径路の内壁面との間に生じる弾性力がマグネットの吸着力よりも強くなるようにして、フィルタをマグネットから離脱させている。
【先行技術文献】
【特許文献】
【０００３】
【特許文献１】特開２００８−１３２５２６号公報
【発明の概要】
【発明が解決しようとする課題】
【０００４】
しかしながら、特許文献１に記載の技術では、鉄系材料のフィルタを用いるので、フィルタに含まれる鉄成分が溶湯に溶け出し、当該溶湯を汚染する可能性がある。このような問題を解決するものとして、例えば、非磁性のフィルタを用いることが考えられる。
しかし、特許文献１の場合と同様の方法で非磁性のフィルタをテーパ状拡径路（湯口部材）に取り付けようとしても、非磁性のフィルタにはマグネットとの間に吸引力（磁力）が生じない。したがって、マグネットでは非磁性体を吸着することをできないという問題が生じる。
【０００５】
また、テーパ状拡径路の上方から非磁性のフィルタを落下させることで前記フィルタを設置する場合、所望の位置に位置決めできず、フィルタとテーパ状拡径部との間に隙間ができてしまう可能性がある。さらに、このような場合において、例えば、上から棒状の治具でフィルタを押し込むと、当該フィルタが斜めになってしまう場合がある。
また、前記フィルタの側面を、所定の装置を用いて左右方向から挟むことによって取り付ける場合、フィルタを左右方向から挟んでいる部材がテーパ状拡径部の内周面に干渉し、フィルタを所定位置に正確に取り付けることができない可能性がある。
【０００６】
そこで、本発明は、非磁性のフィルタを安定して湯口部材に取り付けることができるフィルタ取付装置及びフィルタ取付方法を提供することを課題とする。
【課題を解決するための手段】
【０００７】
前記課題を解決するために、本発明は、筒状を呈する湯口部材の所定位置に非磁性のフィルタを取り付けるフィルタ取付装置であって、下端に第１磁性体を有するロッドと、前記第１磁性体との間で吸引力を及ぼし合う第２磁性体を有し、前記フィルタの挟持時、前記フィルタの下方に配置されると共に、吸引力によって前記第１磁性体とで前記フィルタを挟む挟持アダプタと、前記挟持アダプタの離脱時、前記ロッドを上方に移動させた場合に、前記フィルタを上方から前記所定位置に押さえ付けるフィルタ押さえ部と、を備えることを特徴とする。
【０００８】
このような構成によれば、挟持アダプタは、第１磁性体との間で吸引力を及ぼし合う第２磁性体を有し、フィルタの挟持時、当該フィルタの下方に配置される。したがって、ロッドの下端に設置された第１磁性体と、挟持アダプタが備える第２磁性体との間の吸引力によって、非磁性のフィルタを挟むことができる。
【０００９】
また、ロッドを上方に移動させると、第１磁性体と第２磁性体との間の吸引力によって、第２磁性体を有する挟持アダプタと、第１磁性体と前記挟持アダプタとの間に介在するフィルタとが、上方に移動しようとする。ここで、フィルタ押さえ部が、挟持アダプタの離脱時にフィルタを上方から前記所定位置に押さえ付ける。
したがって、フィルタを湯口部材の前記所定位置に正確に取り付けることができると共に、ロッドを上方に移動させ、挟持アダプタを離脱させることができる。
【００１０】
また、本発明に係る前記フィルタ取付装置において、前記挟持アダプタは、前記フィルタの下面に当接する薄板状の円盤部と、前記円盤部の中心から下向きに突出する錘部と、を備えることが好ましい。
【００１１】
このような構成によれば、挟持アダプタは、薄板状の円盤部と、前記円盤部の中心から下向きに突出する錘部とを備えている。したがって、錘部があるぶんだけ重量が大きくなるため、挟持アダプタの落下地点が空気抵抗によって所望の地点から外れることを防止できる。
また、挟持アダプタの円盤部がフィルタの下面に当接する、つまり、円盤部の円形面がフィルタの下面に吸着される。したがって、フィルタを介して第１磁性体と対向する面の面積を充分に確保でき、非磁性のフィルタを安定して湯口部材に取り付けることができる。
【００１２】
また、本発明は、筒状を呈する湯口部材の所定位置に非磁性のフィルタを取り付けるフィルタ取付方法であって、下端に第１磁性体を有するロッドと、前記第１磁性体との間で吸引力を及ぼし合う第２磁性体を有する挟持アダプタと、前記フィルタを上方から押さえ付けるフィルタ押さえ部と、を備えたフィルタ取付装置を用いて、前記挟持アダプタを前記フィルタの下方に配置すると共に、前記第１磁性体と前記第２磁性体との間の吸引力によって前記フィルタを挟む第１手順と、前記フィルタ押さえ部で前記フィルタを上方から前記所定位置に押さえ付けると共に、前記ロッドを上方に移動させることによって前記挟持アダプタを離脱させる第２手順と、を含むことを特徴とする。
【００１３】
このような構成によれば、第１手順において、挟持アダプタをフィルタの下方に配置すると共に、第１磁性体と第２磁性体との間の吸引力によって前記フィルタを挟む。つまり、ロッドの下端に設置された第１磁性体と、挟持アダプタが備える第２磁性体との間の吸引力によって、非磁性のフィルタを挟むことができる。
【００１４】
また、第２手順において、フィルタ押さえ部でフィルタを上方から前記所定位置に押さえ付けると共に、ロッドを上方に移動させることによって挟持アダプタを離脱させる。したがって、第１磁性体と第２磁性体との間の吸引力によって、第２磁性体を有する挟持アダプタと、第１磁性体と前記挟持アダプタとの間に介在するフィルタとが上方に移動しようとするのを、フィルタ押さえ部によって上方から押さえ付けることができる。その結果、フィルタを前記所定位置に正確に取り付けることができるとともに、ロッドを上方に移動させ、挟持アダプタを離脱させることができる。
【発明の効果】
【００１５】
本発明により、非磁性のフィルタを安定して湯口部材に取り付けることができるフィルタ取付装置及びフィルタ取付方法を提供することができる。
【図面の簡単な説明】
【００１６】
【図１】フィルタが取り付けられた状態における鋳造装置全体の構成図である。
【図２】（ａ）は本発明の一実施形態に係るフィルタ取付装置の説明図であり、（ｂ）は挟持アダプタの斜視図である。
【図３】フィルタ取付装置を用いてフィルタを取り付ける際の一連の流れを示す説明図である。
【図４】本発明の変形例に係るフィルタ取付装置の説明図であり、（ａ）は磁石の下面にシリンダの内壁面が対向している場合を示し、（ｂ）は円盤状のフィルタ押さえ部を備える場合を示し、（ｃ）は電磁石を用いる場合を示している。
【図５】（ａ）は本発明の一実施形態に係るフィルタ取付装置の説明図であり、（ｂ）は本発明の変形例に係るフィルタ取付装置の説明図である。
【発明を実施するための形態】
【００１７】
本発明を実施するための形態（以下、実施形態と記す）について、適宜図面を参照しながら詳細に説明する。なお、各図において共通する部分には同一の符号を付し、重複した説明を省略する。
【００１８】
≪鋳造装置の概要≫
図１は、フィルタが取り付けられた状態における鋳造装置全体の構成図である。図１に示す鋳造装置１００は、重力鋳造法（Gravity Die Casting：ＧＤＣ）を用いて鋳造を行うものであり、溶湯を金型に重力で流し込んで凝固させることによって鋳造を行う装置である。
鋳造装置１００は、取鍋１０１と、ホッパ１０２と、湯口部材１０３と、フィルタ１０４と、湯道部材１０５と、プレート１０６と、ロッド１０７と、油圧装置１０８と、金型（上型１０９、下型１１０、及び横型１１１ａ,１１１ｂ）と、ロッド１１２ａ，１１２ｂと、砂中子１１３と、吸気配管１１４と、を備えている。
【００１９】
取鍋１０１は、注湯炉（図示せず）から出湯される溶湯Ｍ（例えば、アルミニウム合金）を受け、ホッパ１０２の開口部に向けて供給する。取鍋１０１は、例えば、所定量の溶湯Ｍが注湯炉から出湯された後、搬送装置（図示せず）によって鋳造装置１００の上方に移動される。
ホッパ１０２は、取鍋１０１から供給される溶湯Ｍを所定流量（単位時間当たりの流量）で湯口部材１０３に向けて注湯するものである。
【００２０】
湯口部材１０３は、下方に向かうにつれて縮径する筒状部１０３ａと、当該筒状部１０３ａと一体成形された取手部１０３ｂと、を備えている。筒状部１０３ａの下端には、径方向内向きに突出する平面視で円環状の突出部Ａが設けられている。突出部Ａは、フィルタ１０４の底面縁部を下方から支持する支持部である。なお、筒状部１０３ａは、その軸線が鉛直方向に沿うように設置されている。
【００２１】
取手部１０３ｂは棒状を呈しており、筒状部１０３ａの上端付近から水平方向に延びている。また、取手部１０３ｂには、湯口部材１０３を上下水平方向に移動可能とする移動手段（図示せず）が設置されている。
フィルタ１０４は、湯口部材１０３に注湯された溶湯Ｍに含まれる不純物（酸化物など）がキャビティＣ内に流入することを防止するためのものである。
【００２２】
また、フィルタ１０４は非磁性の部材であり、例えば、セラミックフィルタを用いることができる。フィルタ１０４を介在させることで溶湯Ｍの流速を小さくし、キャビティＣに向けて徐々に溶湯Ｍを流入（重力により落下）させることができる。また、セラミックフィルタは、高温の溶湯Ｍによっても溶解しないという特性がある。
フィルタ１０４は円盤状を呈しており、湯口部材１０３に取り付けられた状態において、フィルタ１０４の外周面が筒状部１０３ａの内周面に当接するようになっている。また、フィルタ１０４が湯口部材１０３に設置された状態において、フィルタ１０４の円形の下面が、突出部Ａの上面に当接するようになっている。
【００２３】
湯道部材１０５は、下方に向かうにつれて若干拡径した筒状を呈しており、その内周面によって囲まれる空間（中空部）は、溶湯Ｍが通流（重力による落下）する際の湯道として機能する。なお、湯道部材１０５の上端開口部の内径は、湯口部材１０３が有する突出部Ａの内径と略同一となっている。
また、湯口部材１０３が湯道部材１０５の上方に設置された状態において、湯道部材１０５の上面は、突出部Ａの下面に当接する。したがって、前記状態において、湯口部材１０３の流路（フィルタ１０４が介在すると共に、下方に向かうにつれて縮径する流路）と、湯道部材１０５の流路（下方に向かうにつれて拡径する湯道）とが連なるようになっている。
また、湯道部材１０５の外周面には側断面視で凹部Ｂが形成されており、後記するプレート１０６が当該凹部Ｂに嵌まるようになっている。
【００２４】
プレート１０６は、凹部Ｂに嵌ることで湯道部材１０５を側方から把持するものであり、後記するロッド１０７の移動に伴って上下方向に移動可能となっている。これによって、湯道部材１０５（及び、湯口部材１０３）も上下方向に移動し、キャビティＣに流入する溶湯Ｍの流量（単位時間当たりの流量）を調整することができるようになっている。
ロッド１０７はプレート１０６に設置され、上下方向に延びている。また、ロッド１０７は、油圧装置１０８によって上下方向に移動可能となっている。
油圧装置１０８は、油圧によってロッド１０７を上下動させるものであり、制御手段（図示せず）からの指令に従って駆動する。
【００２５】
金型（上型１０９、下型１１０、及び横型１１１ａ,１１１ｂ）は、例えば、鋳鉄部材でできており、それぞれの内壁面と砂中子１１３との間にキャビティＣを形成している。このうち下型１１０は固定型であり、上型１０９及び横型１１１ａ,１１１ｂは可動型である。図１では、上型１０９及び横型１１１ａ,１１１ｂを移動させて型締めした状態を示している。
また、紙面左側の横型１１１ａにはロッド１１２ａが設置され、紙面右側の横型１１１ｂにはロッド１１２ｂが設置されている。なお、ロッド１１２ａ，１１２ｂは、油圧装置（図示せず）によって左右方向に移動可能となっている。また。上型１０９は上方に取り外すことができるようになっている。
【００２６】
砂中子１１３は、中空部の鋳物を成形する場合に用いられるものであり、キャビティＣの所定箇所に設置されている。
吸気配管１１４は、アスピレータ（図示せず）に接続されており、砂中子１１３から放出されるガスを吸引し、強制的に排気するためのものである。
【００２７】
取鍋１０１から供給された溶湯Ｍは、ホッパ１０２を介して湯口部材１０３に流入する。そして、湯口部材１０３に注湯された溶湯Ｍは、フィルタ１０４を通流する際に不純物が除去され、湯道部材１０５を介してキャビティＣに流入する。注湯が終了してから所定時間が経過して溶湯Ｍが凝固すると、上型１０９及び横型１１１ａ,１１１ｂを移動させて鋳物を取り出す。このようにして、キャビティＣに対応する形状の鋳物を鋳造することができる。
【００２８】
≪フィルタ取付装置の構成≫
図２（ａ）は、本発明の一実施形態に係るフィルタ取付装置の説明図である。フィルタ取付装置２００は、筒状を呈する湯口部材１０３の所定位置（湯口部材１０３が備える突出部Ａの上面：図１参照）に非磁性のフィルタ１０４を取り付けるための装置である。なお、湯口部材１０３にフィルタ１０４を取り付ける際には、図１に示した位置とは異なる位置に湯口部材１０３を移動させて（つまり、湯口部材１０３の軸線がホッパ１０２から外れる位置で）行う。
フィルタ取付装置２００は、ロッド２０１と、ハウジング２０２と、挟持アダプタ２０８と、油圧装置と、を備えている。ここで、前記油圧装置は、制御装置２０３、油タンク２０４、油圧ポンプ２０５、配管２０６ａ〜２０６ｄ、及び方向切替手段２０７を有している。
【００２９】
ロッド２０１は、下端に磁石２０１ａ（第１磁性体）を有しており、油圧装置からの油圧によって上下方向に移動可能となっている。なお、本実施形態に係るフィルタ取付装置２００では、ロッド２０１の上端にピストン２０１ｂが設置されている。なお、磁石２０１ａとして、例えば、アルニコ磁石、ネオジム磁石、フェライト磁石などの永久磁石を用いることができる。
ハウジング２０２は、シリンダ部２０２ａと、フィルタ押さえ部２０２ｂと、を有している。シリンダ部２０２ａは、ロッド２０１のピストン２０１ｂを上下させるための油圧シリンダとして機能する。
【００３０】
シリンダ部２０２ａは、油圧装置からの油が供給される円柱状の空間を有し、当該空間を上下に仕切るようにロッド２０１のピストン２０１ｂが配置されている。前記空間のうち、ピストン２０１ｂの上方に位置する空間は配管２０６ｂの開口部と連通し、ピストン２０１ｂの下方に位置する空間は配管２０６ｃ開口部と連通している。
【００３１】
制御装置２０３は、予め設定された手順に従って油圧ポンプ２０５及び方向切替手段２０７を駆動させることによって、シリンダ部２０２ａの空間内でピストン２０１ｂを上下方向に移動させる。
例えば、油圧ポンプ２０５によって油タンク２０４から吸い上げられた油が、配管２０６ａ、方向切替手段２０７及び配管２０６ｃを介してピストン２０１ｂよりも下方の空間に流入すると、ピストン２０１ｂは上方に移動する。このときピストン２０１ｂの上方の空間に貯留されていた油は、配管２０６ｂ、方向切替手段２０７、及び配管２０６ｄを介して油タンク２０４に戻る。
なお、油圧ポンプ２０５の下流側には圧力検出器Ｐが設置され、検出した油圧が制御装置２０３に出力されるようになっている。
【００３２】
フィルタ押さえ部２０２ｂは、シリンダ部２０２ａと一体成形され、挟持アダプタ２０８の離脱時においてロッド２０１を上方に移動させた場合に、フィルタ１０４の移動を規制するためのものである。すなわち、フィルタ押さえ部２０２ｂは、シリンダ部２０２ａから下方に延びており、その下端部は開口している。また、フィルタ押さえ部２０２ｂは、円筒状を呈しており、その中空部にロッド２０１及び磁石２０１ａを収容している。
また、シリンダ部２０２ａ内の空間においてピストン２０１ｂが最も下方に位置している状態において、フィルタ押さえ部２０２ｂの下端面と磁石２０１ａ（第１磁性体）の下端面とが略面一となるように、フィルタ押さえ部２０２ｂの長さが設定されている。
【００３３】
挟持アダプタ２０８は、磁石２０１ａ（第１磁性体）との間で吸引力を及ぼし合う磁性体（第２磁性体）であり、例えば、鉄製の部材である。また、挟持アダプタ２０８はフィルタ１０４の下方に配置され、吸引力によって磁石２０１ａとでフィルタ１０４を挟む機能を有する。
【００３４】
また、図２（ｂ）に示すように、挟持アダプタ２０８は、薄板状の円盤部２０８ａと、円盤部２０８ａの中心から下向きに突出する円柱状の錘部２０８ｂとを備えており、側面視でＴ字状を呈している。本実施形態において錘部２０８ｂは、円盤部２０８ａより小径の円柱状であり、錘部２０８ｂの軸線は円盤部２０８ａの円形面（上面及び下面）と略垂直になっている。
ちなみに、円盤部２０８ａ及び錘部２０８ｂの径は、それぞれ湯口部材１０３が備える突出部Ａの内径よりも小さい。これによって、フィルタ取付装置２００は、挟持アダプタ２０８と磁石２０１ａとでフィルタ１０４を挟んだまま、フィルタ１０４を突出部Ａの上面に取り付けることができる（図３（ｂ）参照）。また、挟持アダプタ２０８は、突出部Ａで囲まれる空間を通り抜ける（重力により落下する）ことが可能となる（図３（ｃ）参照）。
【００３５】
図２（ａ）に示すように、挟持アダプタ２０８は、磁性体の円盤部２０８ａがフィルタ１０４の下面に当接する、つまり、円盤部２０８ａの円形面がフィルタ１０４の下面に吸着するように設置される。したがって、フィルタ１０４を介して磁石２０１ａと対向する面の面積を充分に確保でき、非磁性体のフィルタ１０４を安定して湯口部材１０３に取り付けることができる。
また、錘部２０８ｂがあるぶんだけ重量が大きくなるため、空気抵抗によって磁性体の落下地点が所望の地点から外れることを防止できる。
【００３６】
≪フィルタの取付方法≫
図３は、フィルタ取付装置を用いてフィルタを取り付ける際の一連の流れを示す説明図である。なお、図３では、湯口部材１０３を移動させる際の移動手順と、ピストンの移動に関わる各構成（図２（ａ）参照）は図示を省略している。
本実施形態に係るフィルタ取付方法は、以下に示す第１手順と、第２手順と、を含んでいる。
【００３７】
＜第１手順＞
図３（ａ）に示す状態において、制御装置２０３（図２（ａ）参照）は、ロッド２０１が備えるピストン２０１ｂを最下端の位置とする。前記したように、当該状態においてフィルタ押さえ部２０２ｂの下端面と、磁石２０１ａの下端面とが略面一となる。そして、フィルタ押さえ部２０２ｂの下端面及び磁石２０１ａの下端面と、フィルタ１０４の上面とが当接している。また、挟持アダプタ２０８の円盤部２０８ａの上面が、フィルタ１０４の下面に当接している。
なお、フィルタ１０４及び挟持アダプタ２０８は、例えば、自動制御されるロボットによって取り付けてもよいし、人間が取り付けることとしてもよい。
【００３８】
当該状態において、非磁性のフィルタ１０４の下方に配置されている挟持アダプタ２０８と、ロッド２０１の下端に設置されている磁石２０１ａとの間の吸引力（磁力）によって、フィルタ１０４が挟持される。なお、前記吸引力は、図３（ａ）に示す状態において、フィルタ１０４及び挟持アダプタ２０８が、重力によって落下しない程度以上の力である。
すなわち、第１手順では、挟持アダプタ２０８をフィルタ１０４の下方に配置すると共に、磁石２０１ａ（第１磁性体）と鉄製の挟持アダプタ２０８（第２磁性体）との間の吸引力によってフィルタ１０４を挟む。
【００３９】
また、フィルタ１０４の取り付けを行う際に、取手部１０３ｂに設置されている移動手段（図示せず）は、ハウジング２０２の真下まで湯口部材１０３を移動させる。つまり、前記移動手段は、湯口部材１０３の開口部の上方にフィルタ１０４が位置するように、湯口部材１０３を移動させる。
【００４０】
次に、図３（ｂ）に示すように、磁石２０１ａと挟持アダプタ２０８とによってフィルタ１０４を挟持した状態を保ちながら、移動手段（図示せず）によってハウジング２０２を下方に移動させ、フィルタ１０４を湯口部材１０３に取り付ける。
すなわち、図３（ａ）の状態からハウジング２０２を所定距離だけ下降させると、フィルタ１０４の下面の縁部付近が突出部Ａの上面に当接する。これによって、フィルタ１０４が所定の取付位置に達することとなる。なお、当該状態において、フィルタ１０４の外周面は筒状部１０３ａの内周面に当接している。
＜第２手順＞
【００４１】
次に、図３（ｃ）に示すように、フィルタ押さえ部２０２ｂの下端面がフィルタ１０４の上面に当接している状態を保ちつつ、制御装置２０３の指令に従ってロッド２０１を上方に移動させる。このとき、フィルタ押さえ部２０２ｂが、磁石２０１ａの上方への移動に伴い、フィルタ１０４及び挟持アダプタ２０８が上方に移動することを規制する。つまり、フィルタ押さえ部２０２ｂが、フィルタ１０４を上方から前記した所定の取付位置に押さえ付ける。
【００４２】
また、ロッド２０１を所定距離だけ引き上げた状態（図３（ｃ）に示す状態）において、挟持アダプタ２０８が磁石２０１ａに向けて上方に引き寄せられる力（磁力）よりも、挟持アダプタ２０８にかかる重力のほうが大きくなるため、挟持アダプタ２０８は落下することとなる。なお、挟持アダプタ２０８は、その落下位置付近に予め設けられている受け皿Ｋに落ちる。
すなわち、第２手順では、フィルタ押さえ部２０２ｂでフィルタ１０４を上方から所定位置に（つまり、フィルタ１０４の底面縁部が突出部Ａの上面に当接している状態で）押さえ付けると共に、ロッド２０１を上方に移動させることによって挟持アダプタ２０８を離脱させる。
【００４３】
次に、図３（ｄ）に示すように、移動手段（図示せず）によってハウジング２０２を上方に移動させて湯口部材１０３から引き抜く。
その後、フィルタ１０４が設置された湯口部材１０３は、取手部１０３ｂを把持している移動手段（図示せず）によって移動され、湯道部材１０５の上方に設置される（図１参照）。
【００４４】
≪効果≫
本実施形態に係るフィルタ取付装置２００によれば、ロッド２０１の下端に設置された磁石２０１ａ（第１磁性体）と、挟持アダプタ２０８（第２磁性体）との間の吸引力によって、非磁性のフィルタ１０４を挟むことができる。
また、ロッド２０１を上方に移動させると、磁石２０１ａと挟持アダプタ２０８と間に生じる吸引力によって、挟持アダプタ２０８及びフィルタ１０４が上方に移動しようとする。ここで、フィルタ押さえ部２０２ｂがフィルタ１０４を上方から所定の設置位置に押さえ付ける。したがって、フィルタ１０４を前記位置に取り付けることができるとともに、ロッド２０１を上方に移動させ、挟持アダプタ２０８を離脱させることができる。
【００４５】
仮に、非磁性のフィルタ１０４を取り付ける際に、当該湯口部材１０３の設置箇所の手前にフィルタ１０４をいったん置いて、棒状の治具（図示せず）で押し込む方法を採った場合、フィルタ１０４が斜めに傾く場合があり、安定した状態で取り付けることが困難であった。
これに対して本実施形態に係るフィルタ取付装置２００によれば、所望の状態（即ち、フィルタ１０４の上面及び下面が水平となっている状態）を保ったまま、安定してフィルタ１０４を湯口部材１０３に取り付けることができる。
したがって、本実施形態に係るフィルタ取付装置２００によれば、フィルタ１０４の設置不具合による稼動停止などを回避し、安定したサイクルタイムを維持することができる。
【００４６】
また、挟持アダプタ２０８は、薄板状の円盤部２０８ａと、当該円盤部２０８ａの中心から下向きに突出する錘部２０８ｂとを備えている。したがって、錘部２０８ｂがあるぶんだけ重量が大きくなり、また重心が円盤部２０８ａよりも下になるため、空気抵抗によって磁性体の落下地点が所望の地点から外れることなく、挟持アダプタ２０８を前記地点に確実に落下させることができる。
【００４７】
また、磁性体である円盤部２０８ａがフィルタ１０４の下面に当接する、つまり、円盤部２０８ａの円形面が、磁石２０１ａとの間の吸引力によりフィルタ１０４の下面に吸着される。したがって、フィルタ１０４を介して磁石２０１ａと対向する面の面積を充分に確保でき、非磁性のフィルタ１０４を安定しタ状態で湯口部材１０３に取り付けることができる。
さらに、挟持アダプタ２０８が溶湯Ｍからの輻射熱で高温になっていた場合でも、例えば耐熱手袋（図示せず）をした状態で把持しやすくなるという利点がある。
【００４８】
≪変形例≫
以上、本発明に係るフィルタ取付装置について前記実施形態により説明したが、本発明の実施態様はこれらの記載に限定されるものではなく、種々の変更などを行うことができる。
例えば、前記した実施形態では、ロッド２０１を最下端とした状態で、フィルタ押さえ部２０２ｂの下端面と磁石２０１ａの下端面とが略面一となる（つまり、磁石２０１ａがフィルタ押さえ部２０２ｂの開口部から露出する）場合について説明したが、これに限らない。
【００４９】
図４（ａ）は、磁石の下面にシリンダの内壁面が対向している場合を示している。図４（ａ）に示すように、フィルタ取付装置２００Ａとして、ロッド２０１がハウジング２０２によって内包される構成としてもよい（符号Ｑを参照）。この場合でも、磁石２０１ａ（第１磁性体）と挟持アダプタ２０８（第２磁性体）との間の吸引力によってフィルタ１０４を挟むことができる。ちなみに、ハウジング２０２の下端部は磁石２０１ａと挟持アダプタ２０８との間に介在することとなるが、磁性体であってもよいし、非磁性体であってもよい。
なお、その他の構成及びフィルタ１０４の取付手順については前記実施形態で説明した場合と同様であるため、説明を省略する。
【００５０】
図４（ｂ）は、円盤状のフィルタ押さえ部２０２ｃを備える場合を示している。図４に示すロッド２０１の下端部には円柱状の磁石２０１ａが設置され、ロッド２０１は移動手段（図示せず）によって上下方向に移動可能となっている。また、フィルタ押さえ部２０２ｃは、ロッド２０１の上下方向の移動とは独立して上下方向に移動可能となっている。さらに、フィルタ押さえ部２０２ｃの上面縁部付近の所定箇所に、上方に向けて延びる平面視でＵ字状の支持部２０２ｄが設置されている。
【００５１】
そして、フィルタ押さえ部２０２ｃ及びフィルタ１０４を、磁石２０１ａ（第１磁性体）と挟持アダプタ２０８（第２磁性体）との間に生ずる吸引力（磁力）によって挟む。そして、支持部２０２ｄを持ってフィルタ押さえ部２０２ｃの位置を保持しつつ、ロッド２０１を上方に引き上げる。そうすると、挟持アダプタ２０８は落下し、フィルタ１０４を所定の位置に取り付けることができる。
なお、ロッド２０１及びフィルタ押さえ部２０２ｃは、予め設定された手順に従って動作する移動手段であってもよいし、人間が操作することとしてもよい。
【００５２】
図４（ｃ）は、電磁石を用いる場合を示している。図４（ｃ）に示すロッド２０１は磁性体（例えば、鉄）であり、当該ロッド２０１にコイルＬが巻回されている。制御装置２０３ＣがスイッチＳをＯＮ状態にすると、直流電源Ｅと、コイルＬと、抵抗Ｒとを含む回路に電流が流れ、コイルＬを貫く磁界が発生する。
当該磁界は、フィルタ１０４を介して挟持アダプタ２０８にも及び、挟持アダプタ２０８は上方に向かう力を受ける。これによってフィルタ１０４は、ロッド２０１と挟持アダプタ２０８とよって挟まれることとなる。
【００５３】
そして、フィルタ１０４を挟持した前記状態から、制御装置２０３ＣがスイッチＳをＯＦＦに切り替えることによって、前記磁界がなくなるため、挟持アダプタ２０８は重力により落下する。次に、湯口部材１０３からロッド２０１を上方に引き上げることで、フィルタ１０４を所定位置に取り付けることができる。ちなみに、フィルタ１０４の厚さや挟持アダプタ２０８の重量に応じて、前記した電磁石の強度（コイルＬに流す電流値）を変更すればよい。
また、ロッド２０１の前記移動は、予め設定された手順に従って動作する移動手段であってもよいし、人間が操作することとしてもよい。
【００５４】
また、前記実施形態では、鉄製の挟持アダプタ２０８（第２磁性体）を用いることとしたが、これに限らない。すなわち、挟持アダプタ２０８は強磁性体であればよく、例えば、ニッケルやコバルトを含んでいてもよい。
また、前記実施形態では、ロッド２０１の下端に磁石２０１ａ（第１磁性体）が設置され、挟持アダプタ２０８（第２磁性体）が鉄製である場合について説明したが、これに限らない。例えば、ロッド２０１の下端を磁石以外の磁性体（例えば、鉄など）とし、挟持アダプタを磁石としてもよい。この場合において、挟持アダプタの全部を磁石としてもよいし、その一部（例えば、円盤部２０８ａ）のみを磁石としてもよい。また、ロッド２０１の下端、及び、挟持アダプタ２０８を磁石としてもよい。
【００５５】
また、湯口部材１０３をＳＫＤ６１などの磁性体を用いて構成した場合、磁石２０１ａの磁力によって、湯口部材１０３にフィルタ取付装置２００（図２参照）が引き寄せられて、筒状部１０３ａの芯（軸線上）にセットすることが難しい場合がある。すなわち、図５（ａ）に示すように、磁石２０１ａの磁力線が筒状部１０３ａにも及ぶため、磁石２０１ａと磁性体の筒状部１０３ａと間に生じる磁力の影響により、フィルタ取付装置２００を位置決めしづらくなる場合がある。
【００５６】
したがって、図５（ｂ）に示すように、磁石２０１ａに磁性体（例えば、ＳＫＤ６１）からなるキャップ部材２０１ｃを装着することが好ましい。ちなみに、キャップ部材２０１ｃは、フィルタ１０４を挟み込んでいない状態において磁石２０１ａの下面を露出させる開口部を有するとともに、円柱状の磁石２０１ａの上面及び外周面を被覆するように形成されている。
磁性体からなるキャップ部材２０１ｃを磁石２０１ａに装着することによって、図５（ｂ）に示すように、磁石２０１ａからの磁力線が挟持アダプタ２０８に集中する。これによって、湯口部材１０３の筒状部１０３ａに引き寄せられにくくなるとともに、磁石２０１ａと挟持アダプタ２０８との間の吸引力が強くなる。したがって、磁石２０１ａと挟持アダプタ２０８とでフィルタ１０４を挟み込んで、湯口部材１０３に適切かつ容易に取り付けることができる。
【００５７】
なお、上記の場合において、フィルタ押さえ部２０２ｂを含むハウジング２０２（図２参照）は、例えば、ＳＵＳ３０４などの非磁性体で形成することが好ましい。
また、キャップ部材２０１ｃは、磁石２０１ａの上面を覆わない形状としてもよい。すなわち、キャップ部材２０１ｃは、磁石２０１ａからの磁力線を挟持アダプタ２０８に集中させるために、少なくとも円柱状の磁石２０１ａの外周面を覆う筒状部（円筒部）を有する形状とすればよい。
【００５８】
また、前記実施形態では、フィルタ１０４としてセラミック製のフィルタを用いることとしたが、これに限らない。例えば、非磁性体であるＳＵＳ３０４やＳＵＳ３１６などのオーステナイト系ステンレス鋼のフィルタを用いてもよい。
また、前記実施形態では、フィルタ１０４が円盤状を呈する場合について説明したが、これに限らない。すなわち、平面視で四角形又は多角形のフィルタを用いることとしてもよい。
また、前記実施形態では、挟持アダプタ２０８の形状として円盤部２０８ａ及び錘部２０８ｂを有し、側面視でＴ字状である場合について説明したが、これに限らない。
例えば、挟持アダプタは円柱状又は直方体状など、他の形状であってもよい。
【００５９】
また、前記実施形態では、油圧シリンダによってロッド２０１を上下動させることとしたが、これに限らない。例えば、空気圧シリンダ、ガス圧シリンダ、ボールねじ、又はソレノイドを用いてロッド２０１を上下動させることとしてもよい。
また、ロッド２０１と、挟持アダプタ２０８と、フィルタ押さえ部２０２ｂとを備えるフィルタ取付装置において、ロッド２０１及びフィルタ押さえ部２０２ｂの保持又は上下動を人間が行うこととしてもよい。
【符号の説明】
【００６０】
１００  鋳造装置
１０３  湯口部材
１０４  フィルタ
２００  フィルタ取付装置
２０１  ロッド
２０１ａ  磁石（第１磁性体）
２０２  ハウジング
２０２ａ  シリンダ部
２０２ｂ  フィルタ押さえ部
２０８  挟持アダプタ（第２磁性体）
２０８ａ  円盤部
２０８ｂ  錘部
Ｍ  溶湯
【図１】
2013169553.tif 000003
【図２】
2013169553.tif 000004
【図３】
2013169553.tif 000005
【図４】
2013169553.tif 000006
【図５】
2013169553.tif 000007